(57)【特許請求の範囲】
【請求項１】
居住者に気流感を与えず分煙できるように、吹出流により旋回流を形成する旋回流形成手段を天井部に設け、前記旋回流形成手段の中央部における天井部下面に喫煙領域内の空気を吸込む吸込口を設け、前記旋回流形成手段は、前記天井部に設置された所定の方向に旋回流を形成するように空気を吹出す複数の旋回流吹出装置と、前記吸込口を略中央とし、前記複数の旋回流吹出装置の外周に矩形状のフードとで構成し、旋回流により喫煙領域内の煙草の灰や書類を吹き飛ばすことがないように、前記矩形状のフードは、天井から４面の垂直平面により構成され、前記垂直平面の寸法が４面とも水平方向の長さがＬ（ｍ）、垂直方向の長さが０．０７５Ｌ（ｍ）であり、前記旋回流吹出装置は前記フードの内部の４隅に所定の方向に吹出すように配し、前記旋回流吹出装置より各々吹出風速Ｖ＝１．２５Ｌ（ｍ／ｓ）の空気を前記フード平面に平行かつ水平に吹出し、前記吸込口での吸込風速が０．３Ｖ（ｍ／ｓ）であることを特徴とする分煙システム。
【請求項２】
前記垂直平面の寸法が水平方向の長さが約４ｍ、垂直方向の長さが約０．３ｍであり、前記旋回流吹出装置からの吹出風速が各々約５ｍ／ｓであり、前記吸込口での吸込風速が約１．５ｍ／ｓであることを特徴とする請求項１記載の分煙システム。
【請求項３】
前記吸込口部に空気浄化手段を設けた請求項１または２記載の分煙システム。
【請求項４】
前記吸込み口部の前記空気浄化手段の出口部と前記旋回流吹出口とを連通させた請求項３記載の分煙システム。
【請求項５】
前記分煙システムの直下の床に加熱装置を設けた請求項１、２、３または４記載の分煙システム。
【請求項６】
前記床の上面に空調吹出口を設けた請求項１、２、３、４または５記載の分煙システム。
【請求項７】
前記天井部が、複数の支柱により支持され、内部を空洞とした天井屋根である請求項１、２、３、４、５または６記載の分煙システム。
【請求項８】
前記支柱を固定設置する前記床と前記床を移動可能とする可動装置を前記床の下部に設けた請求項１、２、３、４、５、６または７記載の分煙システム。
【発明の詳細な説明】
【０００１】
【発明の属する技術分野】
本発明は、病院や事務所などに使用される喫煙者の煙草の煙を排気あるいは浄化して、非喫煙者に迷惑を及ぼさない分煙システムに関する。
【０００２】
【従来の技術】
従来、この種の分煙システムは、特開平８−１８２９１１号公報に記載されたものが知られている。
【０００３】
以下、その分煙システムについて図１６を参照しながら説明する。図に示すように、喫煙ユニット１０１は４隅に立設された円筒形の柱１０２の上端部に設けられた矩形枠状の案内枠壁１０３と、案内枠壁１０３に囲まれた天井部１０４と、天井部１０４に取付けられた空気清浄機１０５と複数の吹出し孔１０６とからなり、空気清浄機１０５により吸込まれた空気を天井部１０４の内部に吹出し、下方に向かって吹出し孔１０６より浄化された空気を吹出し、エアーカーテンを形成している。
【０００４】
【発明が解決しようとする課題】
このような従来の分煙システムでは、エアーカーテンにより気流感を与え不快であると同時に、エアーカーテンが床面に衝突した後に巻き上がる気流により煙草の灰などを吹き飛ばすという課題があった。喫煙者にとっても非喫煙者、周囲の人々にとっても、様々な場所において喫煙領域を確保し、快適環境を維持することが要求されている。
【０００５】
本発明は、このような従来の課題を解決するものであり、気流感を与えず快適でありながら分煙できる分煙システムを提供することを第１の目的としている。第２の目的は、煙草の灰などが吹き飛ばない分煙システムを提供することである。
【０００６】
第３の目的は、吸込効率を上げることができる分煙システムを提供することである。
【０００７】
第４の目的は、打合せコーナーなどの１０人程度が集うのに望ましい規模である分煙システムを提供することである。
【０００８】
第５の目的は、構造が簡素であり、喫煙領域の空気を浄化することにより非喫煙領域に排気することができる分煙システムを提供することである。
【０００９】
第６の目的は、浄化空気を旋回流に用いて喫煙領域内の空気を循環利用することができる分煙システムを提供することである。
【００１０】
第７の目的は、汚染空気の処理が速くできることである。
【００１１】
第８の目的は、空調しながら喫煙領域を確保して汚染空気の処理を行うことができることである。
【００１２】
第９の目的は、レイアウト変更時にも既存の建物の大掛かりな改修を必要とせずに喫煙領域を形成することができることである。
【００１３】
第１０の目的は、移動・移設が容易であることができる分煙システムを提供することである。
【００１４】
【課題を解決するための手段】
本発明の分煙システムは上記目的を達成するために、居住者に気流感を与えず分煙できるように、吹出流により旋回流を形成する旋回流形成手段を天井部に設け、前記旋回流形成手段の中央部に天井部下面方向に喫煙領域内の空気を吸込む吸込口を設け、前記旋回流形成手段は、前記天井部に設置された所定の方向に旋回流を形成するように空気を吹出す複数の旋回流吹出装置と、前記吸込口を略中央とし、前記複数の旋回流吹出装置の外周に矩形状のフードとで構成し、旋回流により喫煙領域内の煙草の灰や書類を吹き飛ばすことがないように、前記矩形状のフードは、天井から４面の垂直平面により構成され、前記垂直平面の寸法が４面とも水平方向の長さがＬ（ｍ）、垂直方向の長さが０．０７５Ｌ（ｍ）であり、前記旋回流吹出装置を前記フード内部の４隅に所定の方向に吹出すように配し、前記旋回流吹出装置より各々吹出風速Ｖ＝１．２５Ｌ（ｍ／ｓ）の空気を前記フード平面に平行かつ水平に吹出し、前記吸込口での吸込風速がで０．３Ｖ（ｍ）であることを特徴とするものである。本発明によれば、吸込効率の良い分煙システムが得られる。
【００１５】
また、他の手段は、前記垂直平面の寸法が水平方向の長さが約４ｍ、垂直方向の長さが約０．３mであり、前記旋回流吹出装置からの吹出風速が各々約５ｍ／ｓであり、前記吸込口での吸込風速が約１．５ｍ／ｓであることを特徴とするものである。
【００１６】
本発明によれば、打合せコーナーなどの１０人程度が集うのに望ましい規模である分煙システムが得られる。
【００１７】
また、他の手段は、前記吸込口部に空気浄化手段を設け、喫煙領域内の空気を浄化するのである。
【００１８】
本発明によれば、構造が簡素であり、喫煙領域の汚染空気を浄化して非喫煙領域に排気できる分煙システムが得られる。
【００１９】
また、他の手段は、前記吸込み口部の前記空気浄化手段の出口部と前記旋回流吹出口とを連通させ、前記空気浄化手段により浄化された空気を前記旋回流吹出口より吹出すことのできるものである。
【００２０】
本発明によれば、浄化空気を旋回流に用いて喫煙領域の空気を循環利用することができる分煙システムが得られる。
【００２１】
また、他の手段は、前記分煙システムの直下の床に加熱装置を設け、床付近の空気を暖め、喫煙領域内の空気の温度差による浮力により速やかに排気あるいは浄化できるたものである。
【００２２】
本発明によれば、喫煙領域内の空気の温度差による浮力により速やかに排気あるいは浄化できる分煙システムが得られる。
【００２３】
また、他の手段は、前記床の上面に空調吹出口を設けたものである。
【００２４】
本発明によれば、空調しながら喫煙領域を確保し、汚染空気の処理を行うことができる分煙システムが得られる。
【００２５】
また、他の手段は、複数の支柱と前記支柱により支持される内部を空洞とした天井屋根と、前記天井屋根には前記旋回流形成手段と中央下面に前記吸込口とを設け、建物の前記天井部と前記分煙システムの前記天井屋根を独立したものである。
【００２６】
本発明によれば、レイアウト変更時にも既存の建物の大掛かりな改修を必要とせず、喫煙領域を形成することができる分煙システムが得られる。
【００２７】
また、他の手段は、前記支柱を固定設置する前記床と前記床を移動可能とする可動装置を前記床の下部に設けたものである。
【００２８】
本発明によれば、移動・移設が容易であることができる分煙システムが得られる。
【００２９】
【発明の実施の形態】
本発明は、居住者に気流感を与えず分煙できるように、吹出流により旋回流を形成する旋回流形成手段を天井部に設け、前記旋回流形成手段の中央部に天井部下面方向に喫煙領域内の空気を吸込む吸込口を設け、前記旋回流形成手段は、前記天井部に設置された所定の方向に旋回流を形成するように空気を吹出す複数の旋回流吹出装置と、前記吸込口を略中央とし、前記複数の旋回流吹出装置の外周に矩形状のフードとで構成し、旋回流により喫煙領域内の煙草の灰や書類を吹き飛ばすことがないように、前記フードは、天井から４面の垂直平面により構成され、前記垂直平面の寸法が４面とも水平方向の長さがＬ（ｍ）、垂直方向の長さが０．０７５Ｌ（ｍ）であり、前記旋回流吹出装置を前記フードの内部の４隅に所定の方向に吹出すように配し、前記旋回流吹出装置より各々吹出風速Ｖ＝１．２５L（ｍ／ｓ）の空気を前記フード平面に平行かつ水平に吹出し、前記吸込口での吸込風速がで０．３Ｖ（ｍ／ｓ）であることを特徴とするものであり、フードの内側の４隅に設置した旋回流吹出口から、フードに沿って吹出された空気は、互いに影響を及ぼしながら所定の方向に旋回する。また、天井部の下面中央に形成した吸込口から喫煙領域の空気が吸込まれ、上方への気流成分を形成する。旋回流と空気清浄機の吸込流の相互作用により、喫煙領域の空気は旋回しながら、吸込口に吸込まれ、排気されるという作用を有する。
【００３０】
また、前記垂直平面の寸法が水平方向の長さが約４ｍ、垂直方向の長さが約０．３mであり、前記旋回流吹出装置からの吹出風速が各々約５ｍ／ｓであり、前記吸込口での吸込風速が約１．５ｍ／ｓであることを特徴とするものであり、フードの内側に所定の方向に旋回気流を形成し、吸込口の吸込気流により上方への気流成分を形成するが、これら旋回流と吸込気流の相互作用により、喫煙領域の空気は非喫煙領域に漏れることなく、排気されるという作用を有する。
【００３１】
また、前記吸込口部に空気浄化手段を設けたものであり、前記吸込口から汚染空気が吸込まれ、空気浄化手段により浄化された空気は喫煙領域外部へ吹出される。吹出された空気は浄化されているため、喫煙領域外への煙草の煙やにおいが外部へもれないという作用を有する。
【００３２】
また、前記吸込み口部の前記空気浄化手段の出口部と前記旋回流吹出口とを連通させたものであり、前記吸込口から吸込まれた空気は、空気浄化手段により浄化され、前記吸込口と連通した前記旋回流吹出口から前記喫煙領域へ吹出されるという作用を有する。
【００３３】
また、前記分煙システムの直下の床に加熱装置を設けたものであり、加熱装置を床面に設置することにより、床面付近の温度が上昇し、温度差による浮力により喫煙領域内の床面付近から上方へ向かう上昇気流が形成される。この上昇気流が、喫煙領域内の空気が旋回しながら吸込口へ吸込まれるための上昇流を助長することになり、喫煙領域内の汚染空気をより速く処理することができるという作用を有する。
【００３４】
また、前記床の上面に空調吹出口を設けたものであり、空調吹出口を床面に設置することにより、床面から上方へ吹出す空調吹出し空気により、喫煙領域内の床面付近から上方へ向かう上昇気流が形成される。この上昇気流は、喫煙領域内の空気が旋回しながら吸込口へ吸込まれるための上昇流を助長することになり、喫煙領域内の汚染空気をより速く、空調を行いながら処理することができるという作用を有する。
【００３５】
また、複数の支柱と前記支柱により支持される内部を空洞とした天井屋根と、前記天井屋根には前記旋回流形成手段と中央下面に前記吸込口とを設けたものであり、前記吸込口を設置する場所を建物の天井と別に設けたことにより、建物から独立させるという作用を有する。
【００３６】
また、前記支柱を固定設置する前記床と前記床を移動可能とする可動装置を前記床の下部に設けたものであり、移設時は、支柱に設けた稼動装置により容易に移設できるという作用を有する。
【００３７】
以下、本発明の実施例について図面を参照しながら説明する。なお、従来例と同一であるものは同一符号を付して説明を省略する。
【００３８】
【実施例】
（参考例１）図１、２および図３に示すように、分煙システム１は、天井２に旋回流形成装置３を設けており、旋回流形成装置３は、環状ガイド４と、環状ガイド４の内側の天井２付近に均等間隔に取付けられた複数の旋回流吹出装置５とで構成され、旋回流吹出装置５は環状ガイド４の内側空間に連通した旋回空気吸込口６と旋回空気吹出口７と、旋回空気吸込口６の下流であり旋回空気吹出口７の上流である連通経路内に旋回空気送風機８と旋回空気送風機８を駆動するモータ（図示せず）を備えている。さらに、旋回流吹出装置５からの吹出空気と環状ガイド４により形成される旋回流９の中央部となるように天井２の下面１０に吸込口１１を備えた排気装置１２と、排気装置１２と外気とを連通した排気ダクト１３を設けている。図示はしていないが、排気装置１２は排気用の送風機およびモータを備えている。
【００３９】
旋回流吹出装置５のモータにより駆動された旋回空気送風機８により送風され、旋回流吹出口７より吹出した空気は、環状ガイド４に沿って流れ、互いに影響を受けながら旋回流９ａを形成する。旋回流吹出装置５は天井２付近に設置されているため、この旋回流９ａは天井２付近、すなわち、居室の比較的上部の空間に主流を形成するものである。一方、居住域１４、すなわち、居室の比較的下部空間では、旋回主流より派生した旋回流９ｂと、天井２の下面１０に設けた排気装置１２の吸込口１１へ向かって吸込み気流が形成されている。吸込口１１が設けられた喫煙領域１５の中央部は、排気装置１２により吸込口１１から空気が吸込まれるために負圧となる。この負圧のために、旋回流９ｂは喫煙領域１５の中央部へ向かうようになり、喫煙領域１５内の空気は中央へ旋回しながら排気装置１２の吸込口１１へ吸込まれて排気される。このように分煙システム１は、喫煙領域１５内の空気を優先的に排気するため、喫煙領域１５内での喫煙による汚染空気を速やかに排出することとなり、非喫煙領域１６への汚染空気の漏洩を防ぐ。このため、喫煙領域１５と非喫煙領域１６を形成することができる。旋回流吹出装置５は天井２付近に設けているので居住域１４に気流が到達する時点で気流速は弱まっているため、居住者に不快感を与えることはない。
【００４０】
なお、本参考例では、旋回流吹出装置を複数個設けたが、旋回流を形成するのであれば、たとえば、環状の吹出口を１個設けて旋回流を形成するようにしても作用効果は変わらないことは言うまでもない。
【００４１】
なお、本参考例では、旋回流吹出装置を均等配置したが、旋回流を形成するのであれば、その配置を変えても作用効果は変わらないことは言うまでもない。なお、本実施例では、旋回流吹出装置内に旋回空気送風機およびモータを設けたが、旋回空気送風機およびモータの設置場所を変更しても、旋回空気吹出口から旋回空気が吹出されれば良く、その作用効果は変わらない。
【００４２】
なお、本参考例では、旋回流吹出装置から吹出される空気を喫煙領域より吸込んだが、非喫煙領域から吸込んでも良く、その作用効果に差異を生じない。
【００４３】
なお、本参考例では、旋回流形成装置として環状ガイドを用いたが、旋回流を形成するのであれば、その形状はこの限りではない。
【００４４】
なお、本参考例では排気装置に排気用送風機およびモータを設けたが、吸込口から汚染空気を吸込み排気できれば良く、排気手段を変更しても作用効果は変わらない。
【００４５】
なお、本参考例では分煙システムを単独使用しているが、これを組合わせても良い。
【００４６】
なお、本参考例では分煙システムを単独使用したが、組合わせて使用した場合、各分煙システムの旋回空気送風機を統合し、集中送風としても良い。
【００４７】
なお、本参考例では分煙システムを単独使用したが、組合わせて使用した場合、各分煙システムの排気装置を統合し、集中排気としても良い。
【００４８】
（参考例２）図４および５に示すように、天井２（図示せず）の下面１０（図示せず）に設置された矩形の枠形状のフード１７と、フード１７の内部に所定の方向に旋回流９を形成するように空気を吹出す旋回流吹出装置５をフード１７の４隅にそれぞれ設けている。旋回流吹出装置５は、非喫煙領域１６と喫煙領域１５に連通しており、非喫煙領域１６の空気を喫煙領域１５に吹出すための旋回空気送風機８を備えている。排気装置１２は、内部に排気送風機１８を有しており、喫煙領域１５の空気を外部へ排気するための排気ダクト１３を配管接続している。
【００４９】
上記構成において、旋回流吹出装置５は旋回空気送風機８により非喫煙領域１６であるフード１７の外部の空気を吸込み、喫煙領域１５であるフード１７の内部に空気を吹出す。旋回流吹出装置５より吹出された空気はフード１７の内部壁に沿って一定の方向に流れ、フード１７の内部を旋回する旋回流９を形成する。一方、排気送風機１８は、喫煙領域１５の空気を吸込口１１より吸込み、排気ダクト１３を通って喫煙領域外へ吐出す。つまり、排気送風機１８によって吸込口１１へ向かう気流が生成されている。この吸込口１１へ向かう気流と旋回流９の相互作用により喫煙領域１５の空気は旋回しながら吸込口１１へ向かって流れるようになる。しかも、旋回流９の主流は、喫煙領域１５の上部で旋回しており、居住域１４では気流が充分に減衰しているので、旋回流９により喫煙領域１５内の煙草の灰や書類などを吹き飛ばすことがない。
【００５０】
なお、本参考例ではフードの形状を平板の組合わせとしたが、旋回流を形成するのであれば、その形状についてはこの限りではない。
【００５１】
なお、本参考例では、旋回流吹出装置から吹出される空気を非喫煙領域より吸込んだが、喫煙領域から吸込んでも良く、その作用効果に差異を生じない。なお、本参考例では旋回流吹出口をフードの４隅に各１個ずつ設けたが、旋回流を形成するのであれば、その個数および配置についてはこの限りではない。
【００５２】
（実施例１）図６は本実施例の構成を示し、フード１７が、天井２から４面の垂直平面により構成され、垂直平面の寸法割合が４面とも水平方向の長さがＬ（ｍ）、垂直方向の長さが０．０７５Ｌ（ｍ）であり、旋回流吹出装置５をフード１７の内部の４隅に所定の方向に吹出すように設置し、旋回流吹出装置５より各々吹出風速Ｖ＝１．２５Ｌ（ｍ／ｓ）の空気をフード１７の平面に平行かつ水平に吹出し、排気装置１２の吸込口１１での吸込風速が０．３Ｖ（ｍ／ｓ）であることを特徴としている。
【００５３】
上記構成において、フード１７の内側の４隅に設置した旋回流吹出口１６から、フード１７に沿ってＶの風速で吹出された吹出流は、互いに影響を及ぼしながら所定の方向に旋回する。また、天井２の下面１０の中央に形成した吸込口１１から喫煙領域１５の空気が風速０．０７５Ｖで吸込まれ、上方への気流成分を形成する。旋回流９と排気装置１２の吸込流の相互作用により、喫煙領域１５の空気は旋回しながら、吸込口１１に吸込まれ、排気される。吹出流の風速の割合が吸込流に対して大きくなると旋回流９は喫煙領域１５より外へ向かって流れる傾向になり、吹出流の風速の割合が吸込流に対して小さくなると旋回流９が弱まり、好ましくない気流性状となる。
【００５４】
たとえば、理論計算の結果の一例を図７と図８に示す。図７は、上述の寸法および風速における喫煙者の位置を想定した代表ポイントからの流線を示しており、流線は旋回を描きながら吸込口１１へ吸込まれていることがわかる。また、図８は、フード１７の寸法が１／２Ｌ（ｍ）とした条件、すなわち、フード１７の水平寸法Ｌ’（ｍ）、垂直寸法が０．１５Ｌ’（ｍ）、旋回空気の吹出風速Ｖ＝２．５Ｌ’（ｍ／ｓ）、吸込み風速が０．３Ｖ（ｍ）である条件における結果を、喫煙者の位置を想定した代表ポイントからの流線により示しており、吹出流の風速の割合が吸込流に対して大きくなると旋回流９は喫煙領域１５より外へ向かって流れることがわかる。
【００５５】
このように、旋回流９と吸込口１１の吸込風速の適切な組合わせにより吸込口１１への喫煙領域１５内の空気が誘導され、吸込効率があがる。
【００５６】
なお、本実施例では旋回流吹出口をフードの４隅に各１個ずつ設けたが、旋回流を形成するのであれば、その個数および配置についてはこの限りではない。
【００５７】
なお、本実施例ではフードの形状を平板の組合わせとしたが、旋回流を形成するのであれば、その形状および寸法についてはこの限りではない。
【００５８】
（実施例２）図９は本実施例の構成を示し、フード１７の垂直平面の寸法が４面とも水平方向の長さが４ｍ、垂直方向の長さが０．３mであり、旋回流吹出装置５より吹出す風速が各々約５ｍ／ｓ、排気装置１２の吸込口１１での吸込風速が約１．５ｍ／ｓであることを特徴としている。
【００５９】
上記構成において、フード１７の内側の４隅に設置した旋回流吹出口１６から、フード１７に沿って約５ｍ／ｓの風速で吹出された吹出流は、互いに影響を及ぼしながら所定の方向に旋回する。また、天井２の下面１０の中央に形成した吸込口１１から喫煙領域１５の空気が吸込まれ、上方への気流成分を形成する。旋回流９と排気装置１２の吸込流の相互作用により、喫煙領域１５の空気は旋回しながら、吸込口１１に吸込まれ、排気される。フード１７が変わらない時、吹出流の風速が大きくなると旋回流９は喫煙領域１５より外へ向かって流れる傾向になり、吹出流の風速が小さくなると旋回流９が弱まり、好ましくない気流性状となる。フード１７が所定寸法であり、吹出流と吸込流が所定の値である時、旋回流９と吸込口１１の吸込風速の適切な組合わせとなり、吸込口１１への喫煙領域１５内の空気の誘導および吸込の効率があがる。喫煙領域１５を所定の大きさとしたので、打合せコーナーなどの１０人程度が集うのに望ましい規模である。
【００６０】
なお、本実施例では旋回流吹出口をフードの４隅に各１個ずつ設けたが、旋回流を形成するのであれば、その個数および配置についてはこの限りではない。
【００６１】
なお、本実施例ではフードの形状を平板の組合わせとし、寸法を水平方向約４ｍ、垂直方向約０．３ｍとしたが、旋回流を形成するのであれば、その形状および寸法についてはこの限りではない。
【００６２】
なお、本実施例では旋回流吹出し風速を５ｍ／ｓ、吸込風速を１．５ｍ／ｓとしたが、旋回しながら吸込まれる気流を形成するのであれば、その値についてはこの限りではない。
【００６３】
（実施例３）図１０は本実施例の構成を示し、天井２の下面１０の中央に吸込口１１を配し、内部に空気清浄フィルター１９および空清送風機２０を設けた空気清浄機２１を設けている。
【００６４】
上記構成において、空清送風機２０により、喫煙領域１５内の汚染空気を吸込口１１から吸込み、空気清浄フィルター１９は吸込んだ汚染空気を浄化し、浄化空気を非喫煙領域１６へ排気する。吹出された空気は浄化されているため、煙草の煙やにおいが喫煙領域１５外へもれず、浄化空気を非喫煙領域１６へ排気しても、非喫煙領域１６の空気を汚染することがない。
【００６５】
なお、本実施例では空気浄化装置に空気清浄フィルターを用いたが、機械式集塵装置、電気式集塵装置、イオン式集塵装置、脱臭吸着剤および脱臭触媒を用いても良い。
【００６６】
（実施例４）図１１は本実施例の構成を示し、空気清浄機２１の空清吹出口２２と旋回空気吹出口７とを連通させる接続ダクト２３を設けている。
【００６７】
上記構成において、喫煙領域１５内の汚染空気を吸込口１１から空気清浄機２１に吸込み、空気清浄機２１は吸込んだ汚染空気を浄化し、空気清浄機２１により浄化された浄化空気は接続ダクト２３を通り、旋回空気吹出口７より喫煙領域１５に吹出し、旋回流９を形成する。
【００６８】
なお、本実施例では空気清浄機と旋回流吹出口をダクト接続したが、連通させることができれば、その方法はチャンバーなどの他の方法を用いても良い。
【００６９】
（実施例５）図１２は本実施例の構成を示し、床２４の内部にヒーター２５を設けている。上記構成において、喫煙領域１５内では、ヒーター２５により床２４付近の空気が暖められる。空気の温度差による密度差が生じ、浮力により床２４付近の空気は上昇する。一方、喫煙領域１５のさらに上部では、旋回流９および空気清浄機２１への吸込み気流により、喫煙領域１５内の汚染空気は吸込口１１より吸込まれており、さらに、浮力により上昇気流が生じているために、上方への気流が加速されて、より速やかに吸込まれることになる。また、床２４付近の空気が上昇して、喫煙領域１５内を天井２まで到達し吸込まれてくるため、喫煙領域１５内の広い範囲の汚染空気を空気清浄機２１に導いており、喫煙領域１５内の汚染空気の浄化効率があがる。
【００７０】
なお、本実施例ではヒーターを用いたが、温水配管などの一般的な床暖房装置あるいは電気カーペットを用いても良く、床面を加熱できればその方式はこの限りではない。
【００７１】
なお、本実施例ではヒーターを用いたが、温水配管などの一般的な床暖房装置あるいは電気カーペットなどを用いても良く、床付近を加熱できればその方式はこの限りではない。
【００７２】
なお、本実施例ではヒータを床に設置したが、机などの天板に設置しても良く、喫煙領域内に上昇気流が生じれば、その設置場所にこだわらない。
【００７３】
（実施例６）図１３は本実施例の構成を示し、床２４と、床２４の内部を空洞とし、床２４の内部に空調装置２６と、床２４の上面に空調装置２６と連通し、空調空気を吹出す空調吹出口２７を設けている。
【００７４】
上記構成において、床２４内の空気を空調装置２６により加熱あるいは冷却して作られた空調空気を空調吹出口２７へ送風し、空調吹出口２７より喫煙領域１５へ吹出す。床２４の上面に空調吹出口２７が設置されており、喫煙領域１５内の床面付近から上方へ向かう上昇気流が形成される。この上昇気流は、喫煙領域１５内の空気が旋回しながら吸込口９へ吸込まれるための上昇流を助長することになり、喫煙領域１５内の汚染空気をより速く、しかも、空調を行いながら処理することができる。
【００７５】
なお、本実施例では空調装置を床内に設置したが、空調装置は別途設けても良く、空調吹出口から空調空気が吹出されれば、その作用効果はかわらない。なお、本実施例では空調装置により床内の空気を加熱あるいは冷却して空調吹出口より吹出したが、中間期など空気調和の必要のない時は加熱および冷却は必ずしも必要でなく、空調吹出口から上方に空気が吹出されれば、その作用効果はかわらない。
【００７６】
（実施例７）図１４は本実施例の構成を示し、４本の支柱２８と支柱２８により４ヶ所を支持され、内部を空洞とした天井屋根１０４と、天井屋根１０４には旋回流形成装置３を設け、天井屋根１０４の下面、旋回流形成装置３の中央に空気清浄機２１の吸込口１１を配し、天井屋根１０４の内部の空洞に接続ダクト２３を収容している。上記構成により、空気清浄機２１を設置する天井屋根１０４を建物の天井２と別に構成したことにより、分煙システム１を建物から独立させ、レイアウト変更時には、分煙システムのみを移動させることができる。
【００７７】
なお、本実施例では空気清浄機と旋回流吹出口をダクト接続したが、連通させることができれば、その方法はチャンバーなどの他の方法を用いても良い。
【００７８】なお、本実施例では支柱を４本としたが、天井屋根を支持できれば、その形状本数は問わない。
【００７９】
なお、本実施例では天井屋根の内部を空洞にし、空気清浄機およびダクトを収容したが、空気清浄機の設置板としても良く、空気清浄機、ダクト、フード、旋回流吹出口が支持できれば良い。
【００８０】
（実施例８）図１５は本実施例の構成を示し、支柱２８を固定設置する床段２９と床段２９を可動とする車輪３０を床段２９の下部に設けたものである。
【００８１】
上記構成により、分煙システム１を移設する際は、車輪３０により容易に分煙システム１を動かすことができる。
【００８２】
なお、本実施例では床段の下部に稼動装置を設けたが、支柱の最下部に可動装置を設けてもよい。
【００８３】
【発明の効果】
以上の実施例から明らかなように、本発明によれば、気流感を与えず快適でありながら分煙でき、煙草の灰などが吹き飛ばず、吸込効率を上げることができ、打合せコーナーなどの１０人程度が集うのに望ましい規模であり、構造が簡素であり、喫煙領域の空気を浄化することにより非喫煙領域に排気することができ、浄化空気を旋回流に用いて喫煙領域内の空気を循環利用することができ、汚染空気の処理が速くでき、空調しながら喫煙領域を確保して汚染空気の処理を行うことができ、レイアウト変更時にも既存の建物の大掛かりな改修を必要とせずに喫煙領域を形成することができ、移動・移設が容易であることができる分煙システムを提供できる。
【図面の簡単な説明】
【図１】  本発明の参考例１の斜視図
【図２】  同上平面図
【図３】  同断面構成図
【図４】  本発明の参考例２の斜視図
【図５】  同上平面図
【図６】  本発明の実施例１の断面構成図
【図７】  本発明の実施例１の論理計算結果図
【図８】  本発明の実施例１の論理計算結果図
【図９】  本発明の実施例２の断面構成図
【図１０】  本発明の実施例３の断面構成図
【図１１】  本発明の実施例４の断面構成図
【図１２】  本発明の実施例５の断面構成図
【図１３】  本発明の実施例６の断面構成図
【図１４】  本発明の実施例７の断面構成図
【図１５】  本発明の実施例８の断面構成図
【図１６】  従来の分煙システムの断面構成を示す図
【符号の説明】
１     分煙システム
２     天井
３     旋回流形成装置
９     旋回流
１０   下面
１１   吸込口
１７   フード
１９   空気清浄フィルター
２１   空気清浄機
２２   空清吹出口
２３   接続ダクト
２４   床
２５   ヒーター
２６   空調装置
２７   空調吹出口
２８   支柱
２９   床段
３０   車輪
１０４ 天井部
【図１】
0003878767.tif 000002
【図２】
0003878767.tif 000003
【図３】
0003878767.tif 000004
【図４】
0003878767.tif 000005
【図５】
0003878767.tif 000006
【図６】
0003878767.tif 000007
【図７】
0003878767.tif 000008
【図８】
0003878767.tif 000009
【図９】
0003878767.tif 000010
【図１０】
0003878767.tif 000011
【図１１】
0003878767.tif 000012
【図１２】
0003878767.tif 000013
【図１３】
0003878767.tif 000014
【図１４】
0003878767.tif 000015
【図１５】
0003878767.tif 000016
【図１６】
0003878767.tif 000017